(57)【要約】【課題】  誰もが容易に組立ができる簡易な構成でありながら優雅で落ち着いた雰囲気を醸し出せる組立床の間及びその設置方法を提供する。【解決手段】  組立床の間は、畳の上に置かれた床板１と、下部２ａが床板１の側部１ａに固定手段により着脱可能に立設され、上部２ｂが梁７１の天壁７１ａに位置決め手段により係脱可能に係止された床柱２とを備える。床板１は、その側部１ｂが室内に突出する柱７０の側壁７０ａに接し、後部１ｃが壁７２に接している。【選択図】      図１
2007046284.tif 000002
【特許請求の範囲】
【請求項１】
床板と、下部が床板の側部に固定手段により着脱可能に立設され、上部が対象物に位置決め手段により係脱可能に係止された床柱とを備えることを特徴とする組立床の間。
【請求項２】
固定手段は、床柱の下部を嵌め込むために床板の側部に形成された切欠き部であることを特徴とする請求項１記載の組立床の間。
【請求項３】
固定手段は、床板の側部を嵌め込むために床柱の下部に形成された切欠き部であることを特徴とする請求項１記載の組立床の間。
【請求項４】
固定手段は、床板の側部と床柱の下部との嵌め込み状態を固定するネジを有することを特徴とする請求項２又は請求項３記載の組立床の間。
【請求項５】
固定手段は、床板の側部と床柱の下部との一方に形成されたホゾと、他方に形成されたホゾ穴とからなることを特徴とする請求項１記載の組立床の間。
【請求項６】
位置決め手段は、床柱の上部を嵌め込む溝を有するとともに対象物に取り付けられた支持具であることを特徴とする請求項１、請求項２、請求項３、請求項４又は請求項５記載の組立床の間。
【請求項７】
位置決め手段は、床柱の上部の周囲を支持するとともに対象物に取り付けられた複数個の金具であることを特徴とする請求項１、請求項２、請求項３、請求項４又は請求項５記載の組立床の間。
【請求項８】
位置決め手段は、床柱の上部と対象物との間に介在される緩衝材と、床柱の下端部に設けられ、床柱の上部を緩衝材に当接させる床柱昇降具とからなることを特徴とする請求項１、請求項２、請求項３、請求項４又は請求項５記載の組立床の間。
【請求項９】
床板を床又は畳の上に置き、この床板の側部に床柱の下部を固定手段により立設するとともに、床柱の上部を対象物に位置決め手段により係止することを特徴とする組立床の間の設置方法。
【請求項１０】
床板の置き場所は室内に突出する柱の横であり、床柱の下部は柱とは反対側の床板の側部に立設し、床柱の上部は対象物として室内に突出する梁に係止することを特徴とする請求項９記載の組立床の間の設置方法。
【発明の詳細な説明】
【技術分野】
【０００１】
この発明は、床の間の無い居室に簡単に設置できる組立床の間及びその設置方法に関する。
【背景技術】
【０００２】
和式の一戸建の居間には床の間が設けられているのが普通であるが、狭いアパートやマンションでは床の間が設けられていないことが多い。床の間の無い部屋でも、床の間を設けたいという要望に応えるために組立式の床の間が提案されている。
【０００３】
そのような組立式の床の間として、引き出しを有する床框の上面に床地板を取り付け、前面左右２箇所に床柱を立て、床柱の奥に壁を設け、上方前面に落し掛け及び下り壁を装着し、上部に天板を取り付け、正面奥の壁の内側上部に無双を装着するとともに、下り壁の内側に照明を設置してなるユニット式床の間がある（例えば、特許文献１参照）。
【０００４】
また、予め加工された柱材と床板材と梁材と仕切り材と壁板材とを備え、天井部を天井面とし、床板材を床面とし、壁部或いは仕切り材を一方の側面とし、壁板材を小壁面とし、梁材と柱材を開口部の開口周縁部とし、開口周縁部を形成する柱材のうち少なくとも１つは飾り柱を備えた床の間キットがある（例えば、特許文献２参照）。
【０００５】
更には、互いに開閉可能に連接した左右一対の左右衝立板と、この左右衝立板を所定角度になして立設させる連結部材と、この連結部材により左右衝立板が連結された状態で、左右衝立板の前面に配設可能な置き床とを備えた組立床の間がある（例えば、特許文献３参照）。
【特許文献１】実開平７−４４５４０号公報
【特許文献２】特開２０００−８６００号公報
【特許文献３】特開２００１−２０７６３４号公報
【発明の開示】
【発明が解決しようとする課題】
【０００６】
しかしながら、上記特許文献１記載の発明では、床框、床柱、床地板、落し掛け、下り壁、壁、天板、引き出し、無双、照明、底板等を部品として備えるため、構造が複雑であるばかりか、それらの部品を組み立てるのは非常に手間が掛かる上に、誰でも簡単に組立ができるものではない。
【０００７】
上記特許文献２記載の発明も、柱材、床板材、梁材、仕切り材、壁板材、飾り柱等を備えるため、部品点数が多く、構造が複雑であるだけでなく、組立が煩雑であり、誰もが簡単に組立を行うことができない。
【０００８】
上記特許文献３記載の発明も、置き床、左右衝立板、横枠、連結部材（丁番等）、棚板、床柱、床上三角板等を備え、各部品に相互に嵌合可能な凸部や凹部を形成してある上に、丁番を取り付ける必要があるなど、構造が複雑で、組立が容易ではない。
【０００９】
この発明は、そのような問題点に着目してなされたもので、誰もが容易に組立ができる簡易な構成でありながら優雅で落ち着いた雰囲気を醸し出せる組立床の間及びその設置方法を提供することを目的としている。
【課題を解決するための手段】
【００１０】
前記目的を達成するために、本発明の組立床の間は、床板と、下部が床板の側部に固定手段により着脱可能に立設され、上部が対象物に位置決め手段により係脱可能に係止された床柱とを備えることを特徴とする。
【００１１】
この組立床の間において、固定手段は、床柱の下部を嵌め込むために床板の側部に形成された切欠き部、又は床板の側部を嵌め込むために床柱の下部に形成された切欠き部であることが好ましい。この場合、固定手段は、床板の側部と床柱の下部との嵌め込み状態を固定するネジを有することが好適である。
【００１２】
或いは、固定手段は、床板の側部と床柱の下部との一方に形成されたホゾと、他方に形成されたホゾ穴とからなることも好ましい。
【００１３】
一方、位置決め手段は、床柱の上部を嵌め込む溝を有するとともに対象物に取り付けられた支持具、又は床柱の上部の周囲を支持するとともに対象物に取り付けられた複数個の金具、又は床柱の上部と対象物との間に介在される緩衝材と、床柱の下端部に設けられ、床柱の上部を緩衝材に当接させる床柱昇降具とからなるものであることが好ましい。
【００１４】
このような組立床の間は、本発明の設置方法で設置することができる。すなわち、本発明の設置方法は、床板を床又は畳の上に置き、この床板の側部に床柱の下部を固定手段により立設するとともに、床柱の上部を対象物に位置決め手段により係止することを特徴とする。
【００１５】
この設置方法では、より具体的には、床板の置き場所は室内に突出する柱の横であり、床柱の下部は柱とは反対側の床板の側部に立設し、床柱の上部は対象物として室内に突出する梁に係止する。
【発明の効果】
【００１６】
本発明によれば、非常に簡易な構成であり、誰もが容易に組み立てることができるだけでなく、洋室・和室を問わず床の間を違和感無く設置できるとともに、床の間を設置した和室等の居室に優雅で落ち着いた雰囲気を醸し出せる。
【００１７】
しかも、場所を取らないので居室の限られたスペースを有効活用することができる。
【００１８】
また、組立が容易であることから、撤去するのも楽であり、床の間の設置場所を変えたり、賃貸住宅等で退去・引越ししたりするときに至便である。
【発明を実施するための最良の形態】
【００１９】
以下、実施の形態により、この発明を更に詳細に説明する。
【００２０】
実施形態に係る組立床の間を和室に設置した場合の斜視図を図１に示す。この組立床の間は、和室の隅に設置されており、畳の上に置かれた床板１と、下部２ａが床板１の側部１ａに固定手段（図１には図示せず）により着脱可能に立設され、上部２ｂが対象物（ここでは梁７１）に位置決め手段（図１には図示せず）により係脱可能に係止された床柱２とを備える。
【００２１】
床板１は、その側部１ｂが室内に突出する柱７０の側壁７０ａに接し、後部１ｃが壁７２に接して配置されている。床板１の材質としては、杉、桧、松、ケヤキ、人工化粧板等を用いる。床板１のサイズは、一例を挙げると、幅：１２０〜１５０ｃｍ、奥行き：４０〜５０ｃｍ、厚さ：４．５〜６ｃｍである。
【００２２】
床柱２は、その下部２ａが柱７０とは反対側の床板１の側部１ａに嵌め込まれた状態で立てられ、上部２ｂが梁７１の天壁７１ａに当接された状態で係止されている。床柱２の材質は、例えば杉丸太を使用し、その種類は磨き丸太、人工絞り丸太、天然絞り丸太で、太さは直径１２ｃｍ程度で、高さは床の間を設置する居室に応じて適宜裁断等により調整する。
【００２３】
なお、設置した床の間において、壁７２に掛け軸８０が吊り下げられ、図示されていないが、床板１上には花瓶や置物が載置される。また、符号７３は天井を示している。
【００２４】
床板１の側部１ａに床柱２の下部２ａを立設する固定手段としては、例えば図２に示すように、床柱２の下部２ａを嵌め込むために床板１の側部１ａに形成された切欠き部１１でもよい。この場合、床柱２が円柱形であるときは、切欠き部１１は床柱２の形状に対応する半円形である。半円形の切欠き部１１に床柱２の下部２ａを嵌め込むことで、床柱２が床板１の側部１ａに立設される。
【００２５】
図３に示す例では、固定手段は、床板１の側部１ａを嵌め込むために床柱２の下部２ａに形成された切欠き部２１である。この場合は、床柱２の切欠き部２１に床板１の側部１ａを嵌め込むことで、床柱２が床板１の側部１ａに立設される。
【００２６】
図２や図３のように、床板１の側部１ａと床柱２の下部２ａとを嵌合させた状態のままでも、後記位置決め手段により床柱２の上部２ｂが梁７１の天壁７１ａに当接・係止されるので、床柱２は立設状態を安定して維持するが、固定手段は双方の嵌合状態を固定するネジを有するのがよい。この例を図４に示す。図４では、床柱２の下部２ａにネジ挿通孔２２が形成され、このネジ挿通孔２２にネジ６０を通し、床板１の側部１ａの切欠き部１１にねじ込むことで、床柱２の立設状態がより安定する。
【００２７】
また、図５の例では、固定手段は、床板１の側部１ａと床柱２の下部２ａとの一方（ここでは床板１側）に形成されたホゾ１２と、他方（床柱２側）に形成されたホゾ穴２３とからなる。この場合、ホゾ１２をホゾ穴２３に差し込むことで、床柱２が床板１に対して立設される。
【００２８】
一方、床柱２の上部２ｂを梁７１の天壁７１ａに係脱可能に係止する位置決め手段としては、例えば図４に示す支持具３０を用いる。支持具３０は、梁７１の天壁７１ａにネジ３５により取り付けられるフランジ部３１と、床柱２の上部２ｂを嵌め込む溝３２とを有する。床柱２の上部２ｂを支持具３０の溝３２に嵌め込むことで、床柱２が安定して立つ。
【００２９】
図６の例では、位置決め手段は、床柱２の上部２ｂの周囲を支持する複数個の金具４０である。金具４０はＬ字形であり、梁７１の天壁７１ａにネジ等により取り付けられる固定片４１と、床柱２の上部２ｂの周囲を支持する支持片４２とからなる。この金具４０を少なくとも３個（図６では４個）用い、これを床柱２の直径に応じて予め等角度間隔で梁７１の天壁７１ａの所定位置に取り付け、金具４０の支持片４２で形成される空間内に床柱２の上部２ｂを挿入することで、床柱２の起立状態が安定する。
【００３０】
図７の例では、位置決め手段は、床柱２の上部２ｂと梁７１の天壁７１ａとの間に介在される緩衝材（例えばゴム板）５０と、床柱２の下端部２ｃに設けられ、床柱２の上部２ｂを緩衝材５０に当接させる床柱昇降具５５とからなる。床柱昇降具５５は床柱２の下端部２ｃに配置された例えばジャッキであり、このジャッキを回すことで床柱２が昇降するようになっている。従って、緩衝材５０を天壁７１ａの所定位置にセットしてから、床柱昇降具５５を回して床柱２を上昇させることで、床柱２が緩衝材５０を介して天壁７１ａと床柱昇降具５５との間に挟持され、床柱２が安定して立つ。
【００３１】
図８の例では、位置決め手段は、床柱２の上部２ｂと梁７１の天壁７１ａとの間に介在される緩衝材としてのスポンジ５８である。また、床柱２の下部２ａと床板（フローリング）又は畳との間には別のスポンジ５７が介在されている。つまり、床柱２は両スポンジ５７，５８を介して立設される。スポンジ５７は、床柱２の下部２ａの端面形状に応じて平面視半円形で、厚さｔ２＝５ｍｍであり、スポンジ５８は、床柱２の上部２ｂの端面形状に応じて例えば直径１００ｍｍの平面視円形で、厚さｔ１＝５ｍｍである。また、床柱２の高さ（長さ）ｈ＝２１００〜２１５０ｍｍである。この場合、特に床柱２の下部２ａの端面側にスポンジ５７が設けられているので、床板（フローリング）又は畳を傷付ける恐れが無く、見栄えも良い。
【００３２】
この他、図９（平面図）及び図１０（部分斜視図）に示すように、床板１の側部１ａの奥側にＬ字型金具６５を取り付け、床板１が動かないようにしても良い。Ｌ字型金具６５は、ネジ６６により壁７２と床板１の側部１ａの側面に固定される。この場合、床板１が前後左右に動かないので、床柱２が倒れ難くなり、床柱２の立設状態が安定する。
【００３３】
更に図１１の例では、位置決め手段として、床柱２の上部２ｂと梁７１の天壁７１ａとの間に介在される緩衝材としてスポンジ５８が床柱２の上端部に取り付けられ（図８参照）、床柱２の下端部２ｃには、床柱２の上部２ｂ（すなわちスポンジ５８）を梁７１の天壁７１ａに当接させる床柱昇降具として、ネジ４５及びネジ回しピン４８が設けられている。ネジ４５は、そのネジ部４５ｂが床柱２の下部２ａに予め螺合され、ヘッド部４５ａには複数（例えば４つ）のピン挿入穴４６が等角度で偏心形成されるとともに、スポンジ５７が取り付けられている。
【００３４】
この場合、ピン挿入穴４６にネジ回しピン４８を挿入し、ネジ回しピン４８でヘッド部４５ａを突き回し、ネジ４５を上下（矢印ロ方向）に変位させることで、床柱２が上下（矢印イ方向）に移動する。従って、床柱２を所定位置にセットしてから、ネジ４５を回して床柱２を上昇させることで、床柱２がスポンジ５７，５８を介して天壁７１ａと床板（フローリング）又は畳との間に安定して挟持される。
【００３５】
この組立床の間は、基本構成として床板１と床柱２を有するが、図１２のように穴（犬潜り用の穴）５ａを有する装飾板（犬潜）５を床柱２と壁７２との間に設けてもよい。装飾板５の取り付け方は、例えば床柱２の長手方向に設けた溝に装飾板５の側部を嵌め込む。
【００３６】
このように構成した組立床の間は、図１に示すように、床板１を和室の畳（洋室の場合は床）の上に置き、この床板１の側部１ａに床柱２の下部２ａを前記固定手段により立設するとともに、床柱２の上部２ｂを梁７１の天壁７１ａに前記位置決め手段により係止することにより設置される。この際、前記したように、床板１の側部１ｂを側壁７０ａに当て、後部１ｃを壁７２に当てるようにすることで見栄えがよくなる。
【００３７】
この組立床の間によれば、床板１と床柱２を基本部品とする非常に簡易な構成であり、誰もが容易に組み立てることができるだけでなく、床の間の無い部屋に床の間を違和感無く設置できるとともに、床の間を設置した和室等の居室に優雅で落ち着いた雰囲気を醸し出せる。しかも、場所を取らないので居室の限られたスペースを有効活用することができる。更には、組立が容易であることから、撤去するのも楽であり、床の間の設置場所を変えたり、賃貸住宅等で退去・引越ししたりするときに至便である。
【図面の簡単な説明】
【００３８】
【図１】実施形態に係る組立床の間を和室に設置した場合の斜視図である。
【図２】同組立床の間において、床板の側部に床柱の下部を立設する固定手段の一例を示す斜視図である。
【図３】同組立床の間において、床板の側部に床柱の下部を立設する固定手段の別例を示す部分斜視図（ａ）、及びその部分断面図（ｂ）である。
【図４】同組立床の間において、床板の側部に床柱の下部を立設する固定手段の更に別例を示すとともに、床柱の上部を梁の天壁に係脱可能に係止する位置決め手段の一例を示す部分斜視図である。
【図５】同組立床の間において、床板の側部に床柱の下部を立設する固定手段の更に別例を示す部分斜視図である。
【図６】同組立床の間において、床柱の上部を梁の天壁に係脱可能に係止する位置決め手段の別例を示す部分斜視図である。
【図７】同組立床の間において、床柱の上部を梁の天壁に係脱可能に係止する位置決め手段の更に別例を示す部分省略正面図である。
【図８】同組立床の間において、床柱の上部を梁の天壁に係脱可能に係止する位置決め手段の更に別例を示す部分省略正面図である。
【図９】同組立床の間において、床板を固定する一例を示す平面図である。
【図１０】同組立床の間において、床板を固定する一例を示す部分斜視図である。
【図１１】同組立床の間において、床柱の上部を梁の天壁に係脱可能に係止する位置決め手段のうち、床柱の上部を緩衝材に当接させる床柱昇降具の別例を示す要部拡大断面図である。
【図１２】同組立床の間において、装飾板（犬潜）を使用した場合の部分斜視図である。
【符号の説明】
【００３９】
１            床板
１ａ，１ｂ    側部
１ｃ          後部
２            床柱
２ａ          下部
２ｂ          上部
２ｃ          下端部
５            装飾板（犬潜）
１１，２１    切欠き部（固定手段）
１２          ホゾ（固定手段）
２２          ネジ挿通孔（固定手段）
２３          ホゾ穴（固定手段）
３０          支持具（位置決め手段）
３２          溝（位置決め手段）
４０          金具（位置決め手段）
５０          緩衝材（位置決め手段）
５５          床柱昇降具（位置決め手段）
５８          スポンジ（位置決め手段）
６０          ネジ（固定手段）
７０          柱
７０ａ        側壁
７１          梁
７１ａ        天壁
７２          壁
【図１】
2007046284.tif 000003
【図２】
2007046284.tif 000004
【図３】
2007046284.tif 000005
【図４】
2007046284.tif 000006
【図５】
2007046284.tif 000007
【図６】
2007046284.tif 000008
【図７】
2007046284.tif 000009
【図８】
2007046284.tif 000010
【図９】
2007046284.tif 000011
【図１０】
2007046284.tif 000012
【図１１】
2007046284.tif 000013
【図１２】
2007046284.tif 000014